(57)【要約】【課題】従来技術に係る鼻腔洗浄器は専用のポンプや水タンクやコック類を有し、保守性に欠け、装置の簡易さと水道への接続が両立しない問題点があった。本発明は、この問題点を解決しようとしたものであり、鼻腔洗浄の準備作業、後始末作業、保守作業を容易にする事である。また、水道に接続しての流水による簡便な鼻腔洗浄法を提供する事である。【解決手段】本発明は前記課題を解決するため、専用のタンクやポンプやコック類を持たずに、鼻腔洗浄ノズルをもつ鼻腔洗浄器に、一般の家庭やホテル等に普及しているシャワーヘッドから水を注入する受水機構を設けて鼻腔に誘導し、鼻腔洗浄を流水によるものとし、衛生面の保守性の向上と洗浄の効率向上とを実現する。【選択図】図１
2008020466.tif 000002
【特許請求の範囲】
【請求項１】
シャワーヘッドからの受水が可能な受水機構を有した鼻腔洗浄器。
【請求項２】
鼻腔の洗浄時に洗浄用ノズル内における水圧状況を確認する事ができる水圧確認用出水孔を備える請求項１記載の鼻腔洗浄器。
【請求項３】
鼻腔の洗浄時に水の噴出孔が異物などによりふさがれにくくした形状を特徴とした洗浄用ノズルを備える請求項２記載の鼻腔洗浄器。
【請求項４】
鼻腔の洗浄時に洗浄状態を確認する鏡を備える請求項３記載の鼻腔洗浄器。
【発明の詳細な説明】
【発明の属する技術分野】
【０００１】
本発明は、鼻腔を洗浄する際に使用する洗浄器に関する。
【従来の技術】
【０００２】
従来、鼻腔洗浄器としては、専用のポンプや水タンクを備えており、それらに水を入れて、ポンプを手動で押すなどして、水を噴霧させて鼻腔洗浄を行う。または、ホースで水道の蛇口に接続し、水圧調整のコックを備え、噴霧水の水圧の調整を行うものであった。なお、本願発明に関連する公知技術として次の特許文献１及び、特許文献２を挙げることができる。
【特許文献１】特開2000-342650
【特許文献２】特開平09-108295
【発明の開示】
【発明が解決しようとする課題】
【０００３】
従来技術に係る鼻腔洗浄器は専用のポンプと水タンクを備えるもので、ポンプやタンクの衛生面の保守作業に手間がかかった。水道には接続されていないため、使用する度に水を入れる準備作業が必要であった。従来技術に係る水道に接続する鼻腔洗浄器は、水道の蛇口にホースをつなぎ、その水流、水圧を専用のコックを用いて調節するもので、鼻腔洗浄専用の水道蛇口を設けるか、洗浄の前後に水道の蛇口に着脱する作業を必要とするため利便性に欠けるものであった。また、ホース、コック等の衛生面の保守作業にも手間がかかった。コックを備えたホース、洗浄器などの一式はかさばるため持ち運ぶのは容易ではない。水道蛇口の適合性も問題になり、適合しない場合には利用できない欠点もあった。【０００４】
本発明の課題は、上記従来技術の問題点を解決しようとしたものであり、鼻腔洗浄の準備作業、後始末作業、保守作業を容易にする事である。また、水道に接続しての流水による簡便な鼻腔洗浄法を提供する事である。
【課題を解決するための手段】
【０００５】
本発明は前記課題を解決するため、シャワーヘッドからの受水部をもつ鼻腔洗浄器により、シャワーヘッドから噴出された適当量の水を受水する。その水を導水管を経由して鼻腔洗浄用ノズルに誘導し、鼻腔洗浄用ノズルによって、適度な水圧で鼻腔内に出水させる。鼻腔洗浄を流水による実施を可能とする。このことにより、衛生面の保守性の向上と洗浄の効率向上とを実現する。【０００６】
本発明の鼻腔洗浄器の受水部の受水機構の特徴としては、シャワーヘッドの水の噴出口の集合全体と大きさがおおむね一致するサイズのカバー部分を有しており、このカバー部分をシャワーヘッドの噴出口全体に適度な力で押し当てる事でシャワーヘッドから噴出する水を集めて、導水管に誘導する事ができる。シャワーヘッドに押し当てる強さと押し当てる面積などを調節する事で、導水管及鼻腔洗浄用ノズル内の水圧を調節できる。水圧調整のコックなどの複雑な機構を不要とし、簡易な構造にする事で安価に提供する事ができる。また、この受水部から、あらかじめ点鼻薬や洗浄剤を入れておき、鼻腔洗浄効果を高める事ができる。シャワーヘッドからの受水部には、軟質合成樹脂等の弾性素材を用いて、シャワーヘッドの揺れや持ち手の揺れが伝わることを減少せしめて洗浄ノズルが揺れ動く事を抑制する。
【０００７】
従来技術に係る鼻腔洗浄用ノズルは主として、鼻腔内への水の噴霧を目的としたものであったが、本発明の鼻腔洗浄用ノズルは、綿棒による洗浄に、水による洗浄機能を付加したような形態を特徴としており、不必要な水が鼻腔の奥部分に到達する事を防止する。鼻腔の中ほどから鼻口までを集中的に洗浄可能であるようにする。この洗浄用ノズルには、主として横方向か、下方向に水を噴出する角度を持った水の噴出孔が側面に、数個設けられており、表面に突起した文様をつけている。この突起状の紋様によるひっかかりを利用して、花粉等の有害物質や汚れを除いたり、かき出したりする事が可能になる。洗浄用ノズルは、使用者により交換可能で、衛生面の保守を容易にする。ノズルの根元を太くする事で、ノズル先端が不必要に鼻腔奥深くに不必要に挿入される事を防止する。洗浄用ノズルの鼻腔内に挿入される部分には軟質な合成樹脂等の弾性素材を用いて、鼻腔を傷つけたりする事を防止する。この洗浄用ノズルは、他部分と分離して交換可能にして、衛生面の保守作業を容易にする。
【０００８】
水圧確認用に洗浄用ノズルに近い部分の側面に、出水孔を設ける。出水孔からの水の出方の勢いで、内部の水圧を判断する事が可能になる。これにより、洗浄用ノズルが鼻腔内に挿入された状態でも、シャワーヘッドから入水した水が適切な水圧を保っている事を確認しながら、洗浄作業が可能になる。鼻腔内部は、通常の洗面台の鏡では観察がしにくいために、鼻腔の洗浄を観察しやすいように、観察用鏡を有する。
【発明の効果】
【０００９】
入浴時に鼻腔の洗浄も同時に済ませる事ができる。シャワー利用時に行うので花粉等の有害物質や汚物も洗い流す事が容易である。簡便な流水を利用した鼻腔洗浄方法を提供する事により鼻腔の衛生状態の維持が容易になる。鼻腔の洗浄後、鼻腔洗浄器自体もシャワー水により簡単に洗浄を済ませる事ができる。簡易な構造により安価に製造できる。簡易な構造により持ち運びが容易である。塩素除去などの浄水効果、ビタミン類補給効果のあるシャワーヘッドと組み合わせる事で更に鼻腔洗浄の質を高める事が可能になる。
【発明を実施するための最良の形態】
【００１０】
以下、添付図面に基づいて実施例を説明するが、本発明はこれに限定されるものではない。【００１１】
図１は、本発明の一実施例である鼻腔洗浄器の外観を示した正面図であり、図２は、その図１の断面図である。【００１２】
図１に示すように、受水部３にて、シャワーヘッドからの噴出水を直接取り入れ、導水管２を通じて、側面噴出孔１aから、水が鼻腔内に出される。入水部３から、導水管２、側面噴出孔１aにかけて、本鼻腔洗浄器は中空の構造をしている。【００１３】
図１に示すように、洗浄状況を観察するための鏡４を有する。【００１４】
図1に示す突起状の紋様１bにより、鼻腔内の汚れ、異物を除去、かき出しする。この突起様の紋様１bにより側面噴出孔１aが直接鼻腔に触れる事を防止し、側面噴出孔１aの異物による目詰まりを防止する。突起状の紋様１bは、側面噴出孔１aから噴出する水が、下方に向かうように水流を制御する役割も果たしている。【００１５】
図１に示す、出水孔１cにより、内部の水圧の状態を確認する事が可能である。【００１６】
図２に示すように、洗浄ノズル１、導水管２、入水部３の三つに大きくわけて構成される。洗浄ノズル１は、鼻を保護するために、軟質な合成樹脂の弾性素材を用いるのが好適である。導水管２については、持ち手を安定させる為、比較的硬質な合成樹脂の非弾性素材を用いるのが好適である。入水部３は、シャワーヘッドの振動が洗浄ノズルに伝播する事を抑制する為に、軟質な合成樹脂の弾性素材を用いるのが好適である。【００１７】
洗浄用ノズル１は、使用者により交換可能にする為に、導水管２、洗浄状態観察用鏡４と分離可能にする。【００１８】
清浄な飲料用上水道の利用を前提とする事と、シャワーヘッドに浄水機能が付加されるなどの多機能化が進んでおり、これらの併用で効果を高める事が可能である。
【産業上の利用分野】
【００１９】
この発明は、鼻腔洗浄器に関する。
【図面の簡単な説明】
【００２０】
【図１】本発明の実施の形態に係る鼻腔洗浄器の外観斜視図である。
【図２】本発明の実施の形態に係る鼻腔洗浄器の断面図である。
【符号の説明】
【００２１】
1a    鼻腔洗浄用ノズルの洗浄水の噴出孔
1b    鼻腔洗浄用ノズルの突起状の紋様
1c    鼻腔洗浄用ノズル内の水圧確認用の出水孔
2     導水管
3     受水部
4     洗浄状態観察用鏡
【図１】
2008020466.tif 000003
【図２】
2008020466.tif 000004
【手続補正書】
【提出日】平成18年8月19日(2006.8.19)
【手続補正１】
【補正対象書類名】図面
【補正対象項目名】図２
【補正方法】変更
【補正の内容】
【図２】
2008020466.tif 000005
【国際調査報告】
2008020466.tif 000006
2008020466.tif 000007
2008020466.tif 000008
2008020466.tif 000009